(57)【要約】【課題】本発明は、先の画像形成処理後の出力紙と追い越した画像形成処理後の出力紙とがまぎれることなく出力することができる画像形成装置を提供する。【解決手段】先の印刷データによる画像形成処理と後の印刷データである追い越しデータによる画像形成処理とを制御すると共に、フィニッシャ１７に設けられた複数の排紙先である排紙トレイを選択的に切り替え制御するＣＰＵ２０を備え、ＣＰＵ２０、追い越しデータによる画像形成処理を実施した際には、先の印刷データに対する画像形成処理後の出力紙の排紙トレイ以外の排紙トレイに追い越しデータに対する画像形成処理後の出力紙を排紙し、追い越しデータによる画像形成処理後の出力紙の排紙が完了した際には、その排紙先である排紙トレイをロック状態として、その追い越しデータを除く他の印刷データの画像形成処理後の出力紙をロック状態にした排紙トレイに排紙しない。【選択図】図２
2012081708.tif 000002
【特許請求の範囲】
【請求項１】
先の印刷データによる画像形成処理と後の印刷データである追い越しデータによる画像形成処理とを制御部で制御すると共に、複数の排紙先を前記制御部で選択的に切り替え制御する画像処理システムであって、
前記追い越しデータによる画像形成処理を実施した際には、前記制御部は、前記先の印刷データに対する画像形成処理後の出力紙の排紙先以外の排紙先に前記追い越しデータに対する画像形成処理後の出力紙を排紙し、前記追い越しデータによる画像形成処理後の出力紙の排紙が完了した際には、前記制御部は、その排紙先をロック状態として、その前記追い越しデータを除く他の印刷データの画像形成処理後の出力紙をロック状態にした排紙先に排紙しないことを特徴とする画像処理システム。
【請求項２】
排紙先にある出力紙が取り出された時に前記制御部によって排紙先のロック状態が解除されることを特徴とする請求項１に記載の画像処理システム。
【請求項３】
先の印刷データによる画像形成処理と後の印刷データである追い越しデータによる画像形成処理とを制御すると共に、複数の排紙先を選択的に切り替え制御する制御部を備えた画像形成装置であって、
前記制御部は、前記追い越しデータによる画像形成処理を実施した際には、前記先の印刷データに対する画像形成処理後の出力紙の排紙先以外の排紙先に前記追い越しデータに対する画像形成処理後の出力紙を排紙し、前記追い越しデータによる画像形成処理後の出力紙の排紙が完了した際には、その排紙先をロック状態として、その前記追い越しデータを除く他の印刷データの画像形成処理後の出力紙をロック状態にした排紙先に排紙しないことを特徴とする画像形成装置。
【請求項４】
前記複数の排紙先毎に出力紙の存在を検出する出力紙検出用センサを備え、前記制御部は、前記出力紙検出用センサが出力紙の存在が無いことを検出した場合にロック状態を解除することを特徴とする請求項３に記載の画像形成装置。
【請求項５】
先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を備えていることを特徴とする画像処理方法。
【請求項６】
排紙先にある出力紙が取り出された時に排紙先のロック状態を解除するロック解除ステップを備えていることを特徴とする請求項５に記載の画像処理方法。
【請求項７】
先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を制御部で実行させることを特徴とする画像処理プログラム。
【請求項８】
排紙先にある出力紙が取り出された時に排紙先のロック状態を解除するロック解除ステップを前記制御部で実行させることを特徴とする請求項７に記載の画像処理プログラム。
【請求項９】
先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を制御部で実行させる画像処理プログラムを格納したことを特徴とする記憶媒体。
【請求項１０】
排紙先にある出力紙が取り出された時に排紙先のロック状態を解除するロック解除ステップを前記制御部で実行させる画像処理プログラムを格納したことを特徴とする請求項９に記載の記憶媒体。
【発明の詳細な説明】
【技術分野】
【０００１】
本発明は、画像処理システム及び画像形成装置、特に、一定の条件の元で先の画像データに基づく画像形成処理後よりも後の画像データに基づく画像形成処理を優先して追い越すことができる機能を備えた画像処理システム、画像形成装置、画像処理方法、画像処理プログラム、及び記憶媒体に関する。
【背景技術】
【０００２】
従来から、コピー機能、プリント機能、ファクシミリ機能、スキャナ機能、或いは、或いはこれらを機能的に複数備えたＭＦＰ（Ｍｕｌｔｉ  Ｆｕｎｃｔｉｏｎ  Ｐｅｒｉｐｈｅｒａｌ）と称されるデジタル複合機等の画像形成装置にあっては、例えば、コピー機能を利用している際に装置本体正面に設置された操作部の操作による割り込みモードの実行や、装置本体とネットワーク接続されたパーソナルコンピュータから出力されたジョブ（画像データ）に基づいて画像形成処理を実行するプリント機能を利用している際に次のジョブの到来と共に先のジョブが画像形成処理途中で停止又は中止される等、一定の条件の元で先の画像データに基づく画像形成処理後よりも後の画像データに基づく画像形成処理を優先して追い越すことができる機能を備えた画像形成装置が周知である。
【０００３】
また、このような画像形成装置にあっては、オペレータによる生産プロセスの制御を改善して高い生産性を確保するために、「処理続行」モードまたは「順序維持」モードによって、画像形成処理が継続可能かどうかを制御部で判断し、その判断結果に基づいて画像形成処理の継続又は停止を実施する機能が知られている（例えば、特許文献１参照）。
【発明の概要】
【発明が解決しようとする課題】
【０００４】
しかしながら、上述した機能では、先の画像形成処理が停止と判断されると共に、後の画像形成処理が継続と判断された場合、後の画像形成処理が先の画像形成処理を追い越ししてしまう。
【０００５】
このため、画像形成処理が既になされた出力紙（転写紙）の排紙順序は、印刷キューが設定されていた順序と一致しないという現象が発生してしまい、同一の排紙トレイに出力紙をそのまま排紙した場合、先の画像形成処理後の出力紙と追い越した画像形成処理後の出力紙とがまぎれてしまうという問題があった。
【０００６】
そこで、本発明は、先の画像形成処理後の出力紙と追い越した画像形成処理後の出力紙とがまぎれることなく出力することができる画像処理システム、画像形成装置、画像処理方法、画像処理プログラム、及び記憶媒体を提供することを目的とする。
【課題を解決するための手段】
【０００７】
本発明の画像処理システムは、先の印刷データによる画像形成処理と後の印刷データである追い越しデータによる画像形成処理とを制御部で制御すると共に、複数の排紙先を前記制御部で選択的に切り替え制御する画像処理システムであって、前記追い越しデータによる画像形成処理を実施した際には、前記制御部は、前記先の印刷データに対する画像形成処理後の出力紙の排紙先以外の排紙先に前記追い越しデータに対する画像形成処理後の出力紙を排紙し、前記追い越しデータによる画像形成処理後の出力紙の排紙が完了した際には、前記制御部は、その排紙先をロック状態として、その前記追い越しデータを除く他の印刷データの画像形成処理後の出力紙をロック状態にした排紙先に排紙しないことを特徴とする。
【０００８】
本発明の画像形成装置は、先の印刷データによる画像形成処理と後の印刷データである追い越しデータによる画像形成処理とを制御すると共に、複数の排紙先を選択的に切り替え制御する制御部を備えた画像形成装置であって、前記制御部は、前記追い越しデータによる画像形成処理を実施した際には、前記先の印刷データに対する画像形成処理後の出力紙の排紙先以外の排紙先に前記追い越しデータに対する画像形成処理後の出力紙を排紙し、前記追い越しデータによる画像形成処理後の出力紙の排紙が完了した際には、その排紙先をロック状態として、その前記追い越しデータを除く他の印刷データの画像形成処理後の出力紙をロック状態にした排紙先に排紙しないことを特徴とする。
【０００９】
本発明の画像処理方法は、先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を備えていることを特徴とする。
【００１０】
本発明の画像処理プログラムは、先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を制御部で実行させることを特徴とする。
【００１１】
本発明の記憶媒体は、先の印刷データによる画像形成処理後の出力紙を複数の排紙先から特定の排紙先を選択して排紙する先の画像形成処理ステップと、後の印刷データである追い越しデータによる画像形成処理を実施する後の画像形成処理ステップと、前記追い越しデータによる画像形成処理後の出力紙を複数の排紙先から特定の排紙先を除いた排紙先を選択して排紙する排紙先選択ステップと、前記追い越しデータによる画像形成処理後の出力紙の排紙が完了した際にその排紙先をロック状態として前記追い越しデータを除く他の印刷データの画像形成処理後の出力紙をロック状態にした排紙先に排紙しない排紙先ロックステップと、を制御部で実行させる画像処理プログラムを格納したことを特徴とする。
【発明の効果】
【００１２】
本発明の画像処理システム、画像形成装置、画像処理方法、画像処理プログラム、及び記憶媒体は、先の画像形成処理後の出力紙と追い越した画像形成処理後の出力紙とがまぎれることなく出力することができる。
【図面の簡単な説明】
【００１３】
【図１】本発明の一実施形態に係る画像形成装置としての複合機の説明図である。
【図２】本発明の一実施形態に係る画像形成装置としての複合機の要部のブロック説明図である。
【図３】本発明の一実施形態に係る画像形成装置としての複合機における追い越しデータかどうかをＣＰＵで決定する基本処理動作を示すフロー図である。
【図４】本発明の一実施形態に係る画像形成装置としての複合機におけるＣＰＵにより排紙トレイを選択する一例を示す図表である。
【図５】本発明の一実施形態に係る画像形成装置としての複合機におけるＣＰＵによる排紙先処理について説明するフロー図である。
【図６】本発明の一実施形態に係る画像形成装置としての複合機におけるＣＰＵによる排紙先確認処理について説明するフロー図である。
【発明を実施するための形態】
【００１４】
次に、本発明の一実施形態に係る画像処理システム、画像形成装置、画像処理方法、画像処理プログラム、及び記憶媒体について、図面を参照して説明する。尚、以下に示す実施例は本発明の画像処理システム、画像形成装置、画像処理方法、画像処理プログラム、及び記憶媒体における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１５】
図１は本発明の一実施形態に係る画像形成装置としての複合機の説明図である。図において、画像形成装置としての複合機１０は、装置本体１１と、装置本体１１の下方に配置されて引き出し可能な複数段の給紙トレイ１２，１３，１４と、装置本体１１の上方に配置された操作パネル１５と、装置本体１１の上面に回動可能に配置された自動原稿送り装置（以下、単に「ＡＤＦ」と称する。）１６と、装置本体１１の側方に配置されたフィニッシャ１７と、を備えている。
【００１６】
尚、装置本体１１の内部には、図示は省略するが、操作パネル１５を操作しての操作命令やネットワーク接続されたパーソナルコンピュータ（図示せず）から送信された画像データを含む受信データ等のデータ処理を実行するコントローラと、このコントローラによって駆動制御される各種エンジン（ドライバ）と、を備えている。また、装置本体１１の内部には、給紙トレイ１２，１３，１４に収納された各種サイズの転写紙を給紙搬送するために各トレイ１２，１３，１４から排紙口１８に向かう給紙搬送経路（図示せず）が設けられている。さらに、装置本体１１の内部には、図示は省略するが、この給紙搬送経路中に、読み取り又は送信された画像データから転写紙に転写する画像を形成する画像形成部、画像形成部で形成した画像を転写紙に転写する転写部、転写後の画像を転写紙に定着する定着部、定着後の転写紙を排紙口１８からフィニッシャ１７に向けて出力紙として排紙する排紙部、等が配置されている。尚、これら給紙搬送経路、画像形成部、転写部、定着部、排紙部等は、機種等によって設置位置や構造は異なるものの、公知のものが用いられているため、ここでは詳細な説明は省略する。
【００１７】
また、本実施の形態においては、図２に示すように、コントローラ１９は、操作パネル１５の操作等や画像データ及び印刷データの処理といった全ての処理を実施する制御部としてのＣＰＵ２０と、本発明に関わるプログラムを含めた画像形成処理全般の処理制御に必要なデータを格納すると共に印刷データを一時的に記憶・退避することができるハードディスクドライブ（ＨＤＤ）やＲＡＭ、ＲＯＭといった記憶媒体としてのメモリ２１と、画像データを解析してＧＩＦ（Ｇｒａｐｈｉｃ  Ｉｎｔｅｒｃｈａｎｇｅ  Ｆｏｒｍａｔ）、ＢＭＰ（Ｂｉｔ  ＭＡＰ）、ＪＰＥＧ（Ｊｏｉｎｔ  Ｐｈｏｔｏｇｒａｐｈｉｃ  Ｅｘｐｅｒｔ  Ｇｒｏｕｐ）等のイメージデータに変換したうえでＰＤＬ（Ｐａｇｅ  Ｄｅｓｃｒｉｐｔｉｏｎ  Ｌａｎｇｕａｇｅ）を生成するＰＤＬ処理部２２と、を備え、このＰＤＬ処理部２２で処理したＰＤＬを用いて画像形成処理（ドライバ処理）を行い、画像形成処理後の出力紙をフィニッシャ１７で排紙処理する。
【００１８】
フィニッシャ１７は、複数段の排紙トレイ１７Ａ〜１７Ｉを備え、一つの排紙口１８から排紙された出力紙を、例えば、常時は最上段の排紙トレイ１７Ａに積載させる。また、フィニッシャ１７は、同一画像を複数セット画像形成処理するソート機能実行時等には、その枚数に応じた排紙トレイ１７Ａ〜１７Ｉに振り分けて集積するように排紙トレイ１７Ａ〜１７Ｉを昇降する。なお、この排紙トレイ１７Ａ〜１７Ｉの昇降は、全段を一体に昇降しても良いし、各段毎に独立して昇降しても良い。また、本実施の形態においては、フィニッシャ１７は、最上段の排紙トレイ１７Ａを標準トレイとすると共に、２段目以降の排紙トレイ１７Ｂ〜１７Ｉを拡張トレイとして追い越しデータを処理する時に機能的に使い分けを行う。また、各排紙トレイ１７Ａ〜１７Ｉには出力紙検知用センサ（図示せず）が設けられており、各排紙トレイ上に出力紙があるかどうか（取り出されたか否か）をＣＰＵ２０で認識することができる。
【００１９】
これにより、追い越した画像形成処理の排紙に際して、複数の排紙トレイ１７Ａ〜１７Ｉを備えたフィニッシャ１７により、画像形成処理が追い越しを実施したときはその出力紙を拡張トレイ１７Ｂ〜１７Ｉに排紙し、追い越した画像形成処理の排紙が完了したときには該当する拡張トレイ１７Ｂ〜１７Ｉをロック状態にして他の画像形成処理がロックした拡張トレイ１７Ｂ〜１７Ｉに排紙しないようにする。
【００２０】
本発明は、追い越した画像形成処理の排紙トレイ１７Ｂ〜１７Ｉをロックし、その排紙トレイ１７Ｂ〜１７Ｉには後の画像形成処理を排紙しないようにするので、追い越した画像形成処理の出力紙が前の画像形成処理とまぎれることなく出力することができる。
【００２１】
以下、本発明の具体的な追い越しデータの制御例を説明する。尚、以下の説明においては、ネットワーク接続されたパーソナルコンピュータから画像データ（実際に画像形成処理を行うデータ）を含む印刷データ（ネットワーク識別データ、部数、拡大・縮小等の処理データ等）を受信し、先に受信した印刷データの画像形成処理が行われている最中に印刷データ送信元（又は管理者）から印刷停止又は中止の指令が出力されると共に、この先に受信した印刷データとは別に後に受信した印刷データ（追い越しデータ）を画像形成処理する場合で説明する。
【００２２】
図３は、追い越しデータかどうかをＣＰＵ２０で決定する基本処理動作を示すフロー図である。
【００２３】
図３に示すように、ＣＰＵ２０は、印刷データを受信すると（ステップＳ１）、ＰＤＬ処理部２２にてデータ解析を実施させる（ステップＳ２）。また、ＣＰＵ２０は、ＰＤＬ処理後に、追い越し処理が必要かどうかを判定（ステップＳ３）し、必要である（Ｙｅｓ）と判定した場合には、フィニッシャ１７の排紙先を確認したうえで（ステップＳ４）、どの拡張トレイ１７Ｂ〜１７Ｉに排紙するかを決定し（ステップＳ５）、画像形成処理後の出力紙を決定した拡張トレイ１７Ｂ〜１７Ｉに排紙するようにフィニッシャ１７を制御する（ステップＳ６）。また、ＣＰＵ２０は、ステップＳ３で追い越し処理が必要で無い（Ｎｏ）と判定した場合には、ステップＳ６へと移行して標準トレイ１７Ａに出力紙を排紙する。尚、先の印刷データの処理が再開された場合には、追い越しデータの画像形成処理が終了した後に、引き続き先の印刷データの処理が行われ、その出力紙は標準トレイ１７Ａに排紙される。
【００２４】
図４は、ＣＰＵ２０により排紙トレイ１７Ａ〜１７Ｉを選択する一例を示す図表である。
【００２５】
図４に示すように、フィニッシャ１７が標準トレイ１７Ａを含む全９段の排紙トレイ１７Ａ〜１７Ｉを備えていた場合、最上段の排紙トレイ１７Ａを標準トレイとし、２段目以降の排紙トレイを拡張トレイ１７Ｂ〜１７Ｉとしていた場合、先の印刷データの処理による画像形成処理後の出力紙は標準トレイ１７Ａに排紙される。そして、この先の印刷データの処理とは別に追い越しデータの処理が発生した場合、例えば、１段飛ばして３段目の排紙トレイ１７Ｃを拡張トレイとして排紙を行う。さらに、他の追い越しデータが存在した場合（又は複数セット印刷）、８段目の排紙トレイ１７Ｈを拡張トレイとして排紙を行う。尚、ＣＰＵ２０は、標準トレイ１７Ａ及び使用した拡張トレイ１７Ｃ，Ｈの段数データ等をメモリ２１に格納し、一時的に保持させる。
【００２６】
図５は、ＣＰＵ２０による排紙先処理について説明するフロー図である。
【００２７】
図５に示すように、ＣＰＵ２０は、印刷データの排紙処理を行い（ステップＳ１１）、その排紙処理が完了した後に（ステップＳ１２）、排紙した出力紙に対応する印刷データが追い越しデータであったかどうかを判定し（ステップＳ１３）、追い越しデータであった場合にはロック設定を行う（ステップＳ１４）。
【００２８】
例えば、上述した場合、ＣＰＵ２０は、最上段の標準トレイ１７Ａは先の印刷データの排紙先としてロックし、３段目の拡張と例１７Ｃは後の追い越しデータの排紙先としてロックし、さらに８段目の拡張トレイ１７Ｈは他の後の追い越しデータの用の排紙先としてロックする。
【００２９】
図６は、ＣＰＵ２０による排紙先確認処理について説明するフロー図である。
【００３０】
図６に示すように、ＣＰＵ２０は、画像形成処理後の出力紙を排紙する際、排紙しようとする排紙トレイがロック済みであるかどうかが判断され（ステップＳ２１）、ロック済みであった場合（Ｙｅｓ）には、排紙先の排紙トレイ１７Ａ〜１７Ｉに出力紙があるかどうかを出力紙検知用センサにて確認し（ステップＳ２２）、出力紙が無い場合（Ｎｏ）には、ロック解除を実施する（ステップＳ２３）。
【００３１】
さらに、ＣＰＵ２０は、出力紙毎にそれを各排紙トレイ１７Ａ〜１７Ｉで確認し、一つの印刷データに対する画像形成処理が終了したか否かを判断し（ステップＳ２４）、一つの印刷データの全画像形成処理が終了していない場合（Ｎｏ）には全画像形成処理が終了するまでこのルーチンを繰り返す。また、一つの印刷データの全画像形成処理が終了した（Ｙｅｓ）場合には拡張トレイ１７Ｂ〜１７Ｉの上段から順にロックされていない拡張トレイ１７Ｂ〜１７Ｉを検索し、一番先にロックされていない拡張トレイ１７Ｂ〜１７Ｉを次の印刷データの排紙先として設定する（ステップＳ２５）。
【００３２】
このように、ＣＰＵ２０は、排紙毎にその出力紙が先の印刷データのものであるのか追い越しデータのものであるのかを判定して、その先後に対応した排紙トレイ１７Ａ〜１７Ｉに出力紙を排紙すると共にロック制御を施し、先後の印刷データの全画像形成処理が終了していた場合にはその排紙トレイ１７Ａ〜１７Ｉ上の出力紙の取り出しの有無によりロック解除制御を施す。
【００３３】
したがって、先の印刷データ、追い越しデータ、さらに後の追い越しデータというように複数の印刷データが存在し、これらの印刷データに基づく画像形成処理後の出力紙が停止／再開、中止等で如何様に混在していても、その排紙先は印刷データに対応して選択的に排紙することができ、出力紙が一つの排紙トレイ１７Ａ〜１７Ｉに混在して排紙されることを抑制することができる。
【００３４】
上述した実施形態は以下のようにすることもできる。
【００３５】
本実施形態の画像処理システムは、排紙先にある出力紙が取り出された時に制御部によって排紙先のロック状態が解除されることを特徴とする。
【００３６】
本実施形態の画像形成装置は、複数の排紙先毎に出力紙の存在を検出する出力紙検出用センサを備え、制御部は、出力紙検出用センサが出力紙の存在が無いことを検出した場合にロック状態を解除することを特徴とする。
【００３７】
本実施形態の画像処理方法は、排紙先にある出力紙が取り出された時に排紙先のロック状態を解除するロック解除ステップを備えていることを特徴とする。
【００３８】
本実施形態の画像処理プログラムは、排紙先にある出力紙が取り出された時に排紙先のロック状態を解除するロック解除ステップを制御部で実行させることを特徴とする。
【００３９】
本実施形態の記憶媒体は、排紙先にある出力紙が取り出された時に排紙先のロック状態を解除するロック解除ステップを制御部で実行させる画像処理プログラムを格納したことを特徴とする。
【００４０】
本実施形態の画像処理システムは、一定の条件で後から来たデータの処理を追い越すことができる機能を所有しており、複数の排紙先を持ち、ジョブが追い越しを実施したときは、標準以外のトレイに排出することができ、追い越したジョブの排紙が完了したら、そのトレイをロックの状態にし、他のジョブがロックしたトレイに排紙しないようにすることができることを特徴とする。
【００４１】
本実施形態の画像処理システムは、ロックの排除は、トレイにある紙を取り出した時に実施されることを特徴とする。
【００４２】
本実施形態の画像形成装置は、一定の条件で後から来たデータの処理を追い越すことができる機能を所有しており、複数の排紙先を持ち、ジョブが追い越しを実施したときは、標準以外のトレイに排出することができ、追い越したジョブの排紙が完了したら、そのトレイをロックの状態にし、他のジョブがロックしたトレイに排紙しないようにすることができることを特徴とする。
【００４３】
本実施形態の画像形成装置は、ロックの排除は、トレイにある紙を取り出した時に実施されることを特徴とする。
【００４４】
本実施形態の画像処理方法は、一定の条件で後から来たデータの処理を追い越すことができる機能を所有しており、複数の排紙先を持ち、ジョブが追い越しを実施したときは、標準以外のトレイに排出することができ、追い越したジョブの排紙が完了したら、そのトレイをロックの状態にし、他のジョブがロックしたトレイに排紙しないようにすることができることを特徴とする。
【００４５】
本実施形態の画像処理方法は、ロックの排除は、トレイにある紙を取り出した時に実施されることを特徴とする。
【００４６】
本実施形態の画像処理プログラムは、一定の条件で後から来たデータの処理を追い越すことができる機能を所有しており、複数の排紙先を持ち、ジョブが追い越しを実施したときは、標準以外のトレイに排出することができ、追い越したジョブの排紙が完了したら、そのトレイをロックの状態にし、他のジョブがロックしたトレイに排紙しないようにすることができることを特徴とする。
【００４７】
本実施形態の画像処理プログラムは、ロックの排除は、トレイにある紙を取り出した時に実施されることを特徴とする。
【００４８】
本実施形態の記憶媒体は、一定の条件で後から来たデータの処理を追い越すことができる機能を所有しており、複数の排紙先を持ち、ジョブが追い越しを実施したときは、標準以外のトレイに排出することができ、追い越したジョブの排紙が完了したら、そのトレイをロックの状態にし、他のジョブがロックしたトレイに排紙しないようにすることができることを特徴とする画像処理プログラムを収納したことを特徴とする。
【００４９】
本実施形態の記憶媒体は、ロックの排除は、トレイにある紙を取り出した時に実施される画像処理プログラムを収納したことを特徴とする。
【００５０】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体的に様々な修正および変更が可能である。
【符号の説明】
【００５１】
１０    複合機
１１    装置本体
１２    給紙トレイ
１３    給紙トレイ
１４    給紙トレイ
１５    操作パネル
１６    自動原稿送り装置（ＡＤＦ）
１７    フィニッシャ
１７Ａ    排紙トレイ（標準トレイ）
１７Ｂ    排紙トレイ（拡張トレイ）
１７Ｃ    排紙トレイ（拡張トレイ）
１７Ｄ    排紙トレイ（拡張トレイ）
１７Ｅ    排紙トレイ（拡張トレイ）
１７Ｆ    排紙トレイ（拡張トレイ）
１７Ｇ    排紙トレイ（拡張トレイ）
１７Ｈ    排紙トレイ（拡張トレイ）
１７Ｉ    排紙トレイ（拡張トレイ）
１８    排紙口
１９    コントローラ
２０    ＣＰＵ（制御部）
２１    メモリ（記憶媒体）
２２    ＰＤＬ処理部
【先行技術文献】
【特許文献】
【００５２】
【特許文献１】特開２００２−３４２０４６号公報
【図１】
2012081708.tif 000003
【図２】
2012081708.tif 000004
【図３】
2012081708.tif 000005
【図４】
2012081708.tif 000006
【図５】
2012081708.tif 000007
【図６】
2012081708.tif 000008